(57)【要約】【課題】動画撮影での循環フィルタ処理において適切な帰還係数を簡易に決定できる撮像装置の技術を提供する。【解決手段】撮像装置１Ａは、フレームメモリを有して画像データを保持するフレーム遅延部２６５から出力された１フレーム前の画像に帰還アンプ部２６４でゲイン係数(帰還係数)を乗算した信号と、現在のフレーム画像にアンプ部２６２で設定されるゲイン係数を乗算した信号とを加算部２６３で加算することで動画のノイズ除去を行う循環フィルタ部２６を備えている。そして、この循環フィルタ部２６の相関検出部２６１では、撮影時の合焦状態を評価するＡＦ評価値に基づきフレーム間の相関が求められ、この相関に応じた帰還係数が決定される。これにより、適切な帰還係数を簡易に決定できることとなる。【選択図】図３
2005210216.tif 000002
【特許請求の範囲】
【請求項１】
撮像装置であって、
(a)被写体を撮像し、動画を構成するフレームを順次に生成する動画撮影手段と、
(b)前記動画撮影手段で順次生成されたフレームの画像に帰還係数を乗じてノイズ処理を行う循環フィルタ手段と、
(c)第１の撮影条件に応じて、前記循環フィルタ手段を能動化して前記ノイズ処理を行う処理手段と、
を備え、
前記循環フィルタ手段は、
(b-1)第２の撮影条件に応じて、前記帰還係数を決定する決定手段、
を有することを特徴とする撮像装置。
【請求項２】
請求項１に記載の撮像装置において、
前記第１の撮影条件は、露光時間に関する条件であることを特徴とする撮像装置。
【請求項３】
請求項１または請求項２に記載の撮像装置において、
(d)前記フレームの画像データに基づき、合焦状態を評価する評価情報を生成する評価情報生成手段、
をさらに備え、
前記第２の撮影条件は、前記評価情報に関する条件であることを特徴とする撮像装置。
【請求項４】
請求項１ないし請求項３のいずれかに記載の撮像装置において、
(e)撮影レンズに係る焦点距離を変更する焦点距離変更手段、
をさらに備え、
前記第２の撮影条件は、前記焦点距離に関する条件であることを特徴とする撮像装置。
【請求項５】
請求項４に記載の撮像装置において、
前記処理手段は、
(c-1)前記焦点距離変更手段による前記焦点距離の変更中は、前記ノイズ処理を禁止する手段、
を有することを特徴とする撮像装置。
【請求項６】
請求項１ないし請求項５のいずれかに記載の撮像装置において、
(f)前記撮像装置に関する手ブレ量を計測して計測情報を生成する計測情報生成手段、
をさらに備え、
前記第２の撮影条件は、前記計測情報に関する条件であることを特徴とする撮像装置。
【請求項７】
請求項６に記載の撮像装置において、
(g)前記計測情報に基づき、手ブレ補正を行う手ブレ補正手段、
をさらに備え、
前記処理手段は、
(c-2)前記手ブレ補正手段が不能化されて前記手ブレ補正が行われない場合には、前記ノイズ処理を禁止する手段、
を有することを特徴とする撮像装置。
【請求項８】
動画のノイズ処理方法であって、
(a)被写体を撮像し、動画を構成するフレームを順次に生成する動画撮影工程と、
(b)前記動画撮影工程において順次生成されたフレームの画像に帰還係数を乗じてノイズ処理を行う循環フィルタ工程と、
(c)第１の撮影条件を満たす場合には、前記ノイズ処理を行う処理工程と、
を備え、
前記帰還係数は、第２の撮影条件に基づいて設定されることを特徴とする動画のノイズ処理方法。
【発明の詳細な説明】
【技術分野】
【０００１】
本発明は、被写体を撮像し、動画を構成するフレームを順次に生成する撮像装置の技術に関する。
【背景技術】
【０００２】
デジタルカメラ(撮像装置)による動画撮影では、高画素化に伴って感度不足の傾向にあり、低照度時のノイズ増加は避けられない状況となっている。
【０００３】
そこで、低照度時の動画撮影を改善するための技術として、循環フィルタ(帰還フィルタ)を用いフレーム間の相関に基づいてノイズ除去を図る技術が、例えば特許文献１に開示されている。このような帰還フィルタ処理について図１２を参照しつつ簡単に説明する。
【０００４】
図１２は、従来技術に係る循環フィルタ処理を説明するためのブロック図である。
【０００５】
撮像素子で生成された画像データ（ベイヤーデータ）は、画素補間部８１で画素補間され、画素補間された画像データは、色差マトリクス部８２で色空間が変換された後に２つの循環フィルタ部８３に入力される。そして、循環フィルタ部８３において帰還フィルタ処理により、動画撮影時のノイズ除去が行われる。
【０００６】
【特許文献１】特開平６−３８０９８号公報
【発明の開示】
【発明が解決しようとする課題】
【０００７】
上記の特許文献１の技術では、シャッタースピードに基づき設定される帰還係数によって循環フィルタ処理を行っているが、シャッタースピードの情報だけでは最適な帰還係数を簡易に決定できるとは限らない。
【０００８】
本発明は、上記課題に鑑みてなされたものであり、動画撮影での循環フィルタ処理において適切な帰還係数を簡易に決定できる撮像装置の技術を提供することを目的とする。
【課題を解決するための手段】
【０００９】
上記の課題を解決するため、請求項１の発明は、撮像装置であって、(a)被写体を撮像し、動画を構成するフレームを順次に生成する動画撮影手段と、(b)前記動画撮影手段で順次生成されたフレームの画像に帰還係数を乗じてノイズ処理を行う循環フィルタ手段と、(c)第１の撮影条件に応じて、前記循環フィルタ手段を能動化して前記ノイズ処理を行う処理手段とを備え、前記循環フィルタ手段は、(b-1)第２の撮影条件に応じて、前記帰還係数を決定する決定手段を有する。
【００１０】
また、請求項２の発明は、請求項１の発明に係る撮像装置において、前記第１の撮影条件は、露光時間に関する条件である。
【００１１】
また、請求項３の発明は、請求項１または請求項２の発明に係る撮像装置において、(d)前記フレームの画像データに基づき、合焦状態を評価する評価情報を生成する評価情報生成手段をさらに備え、前記第２の撮影条件は、前記評価情報に関する条件である。
【００１２】
また、請求項４の発明は、請求項１ないし請求項３のいずれかの発明に係る撮像装置において、(e)撮影レンズに係る焦点距離を変更する焦点距離変更手段をさらに備え、前記第２の撮影条件は、前記焦点距離に関する条件である。
【００１３】
また、請求項５の発明は、請求項４の発明に係る撮像装置において、前記処理手段は、(c-1)前記焦点距離変更手段による前記焦点距離の変更中は、前記ノイズ処理を禁止する手段を有する。
【００１４】
また、請求項６の発明は、請求項１ないし請求項５のいずれかの発明に係る撮像装置において、(f)前記撮像装置に関する手ブレ量を計測して計測情報を生成する計測情報生成手段をさらに備え、前記第２の撮影条件は、前記計測情報に関する条件である。
【００１５】
また、請求項７の発明は、請求項６の発明に係る撮像装置において、(g)前記計測情報に基づき、手ブレ補正を行う手ブレ補正手段をさらに備え、前記処理手段は、(c-2)前記手ブレ補正手段が不能化されて前記手ブレ補正が行われない場合には、前記ノイズ処理を禁止する手段を有する。
【００１６】
また、請求項８の発明は、動画のノイズ処理方法であって、(a)被写体を撮像し、動画を構成するフレームを順次に生成する動画撮影工程と、(b)前記動画撮影工程において順次生成されたフレームの画像に帰還係数を乗じてノイズ処理を行う循環フィルタ工程と、(c)第１の撮影条件を満たす場合には、前記ノイズ処理を行う処理工程とを備え、前記帰還係数は、第２の撮影条件に基づいて設定される。
【発明の効果】
【００１７】
請求項１ないし請求項８の発明によれば、第１の撮影条件に応じて循環フィルタ手段を能動化してノイズ処理を行い、第２の撮影条件に応じて循環フィルタ手段の帰還係数を決定するため、動画撮影での循環フィルタ処理において適切な帰還係数を簡易に決定できる。
【００１８】
特に、請求項２の発明においては、第１の撮影条件は露光時間に関する条件であるため、循環フィルタ処理を適切に行える。
【００１９】
また、請求項３の発明においては、第２の撮影条件は合焦状態を評価する評価情報に関する条件であるため、適切な帰還係数を一層簡易に決定できる。
【００２０】
また、請求項４の発明においては、第２の撮影条件は撮影レンズに係る焦点距離に関する条件であるため、適切な帰還係数を一層簡易に決定できる。
【００２１】
また、請求項５の発明においては、焦点距離の変更中はノイズ処理を禁止するため、前後のフレーム相関が低い場合の循環フィルタ処理を防止できる。
【００２２】
また、請求項６の発明においては、第２の撮影条件は手ブレ量の計測情報に関する条件であるため、適切な帰還係数を一層簡易に決定できる。
【００２３】
また、請求項７の発明においては、手ブレ補正が行われない場合にはノイズ処理を禁止するため、前後のフレーム相関が低い場合の循環フィルタ処理を防止できる。
【発明を実施するための最良の形態】
【００２４】
＜第１実施形態＞
＜撮像装置の要部構成＞
図１は、本発明の第１実施形態に係る撮像装置１Ａの要部構成を示す図である。ここで、図１(ａ)〜(ｃ)は、それぞれ撮像装置１Ａの正面図、背面図および上面図に相当している。
【００２５】
撮像装置１Ａは、デジタルカメラとして構成されており、撮影レンズ１０を備えている。また、撮像装置１Ａの前面には、被写体に関する測光を行って、輝度信号を生成する測光センサ１１が設けられている。
【００２６】
撮像装置１Ａは、その上面にモード切替スイッチ１２とシャッターボタン１３とＮＲモード選択スイッチ１７とが設けられている。
【００２７】
モード切替スイッチ１２は、被写体を撮像してその静止画を記録する静止画撮影モード（ＲＥＣモード）と、動画撮影を行う動画モード（ＭＯＶＥモード）と、メモリカード９(図２参照)に記録された画像を再生する再生モード（ＰＬＡＹモード）とを切替えるためのスイッチである。
【００２８】
シャッターボタン１３は、半押し状態(Ｓ１オン)と、さらに押し込まれた全押し状態(Ｓ２オン)とを検出可能な２段階スイッチになっている。上記の静止画撮影モードにおいてシャッターボタン１３が半押しされると、ズーム・フォーカスモータドライバ４７(図２参照)が駆動されて、合焦位置に撮影レンズ１０を移動させる動作が行われる。一方、静止画撮影モードにおいてシャッターボタン１３が全押しされると、本撮影動作、つまり記録用の撮影動作が行われる。
【００２９】
ＮＲ(ノイズリダクション)モード選択スイッチ１７は、低照度時の動画撮影において循環フィルタ処理(後述)を利用したノイズ除去処理「ＮＲ１」と、マルチフレーム露光（後述）によるノイズ除去処理「ＮＲ２」と、２種類のノイズ処理ＮＲ１、ＮＲ２を状況に応じて自動的に選択する「Ａｕｔｏ」とを切替えるためのスイッチである。
【００３０】
撮像装置１Ａの背面には、撮影された画像などを表示するＬＣＤ(Liquid Crystal Display)モニタ４２と、電子ビューファインダー(ＥＶＦ)４３と、手ブレ補正スイッチ１４と、コマ送り・ズームスイッチ１５とが設けられている。
【００３１】
手ブレ補正スイッチ１４は、撮像装置１Ａに関する手ブレ量を計測する手ブレセンサ４９(図２)によって検出される手ブレが撮影に悪影響を及ぼさないように手ブレ補正アクチュエータドライバ４８(図２)を駆動させて手ブレ補正を行う手ブレ補正モードに設定するためのスイッチである。ここで、撮像センサ１６は、例えばリニア駆動を行う２つのアクチュエータによって、撮影レンズ１０の光軸に直交する方向に２次元の移動が可能となっている。
【００３２】
コマ送り・ズームスイッチ１５は、４つのボタンで構成され、再生モードにおける記録画像のコマ送りや、撮影時のズーミングを指示するためのスイッチである。このコマ送り・ズームスイッチ１５の操作により、ズーム・フォーカスモータドライバ４７が駆動されて、撮影レンズ１０に関する焦点距離を変更できる。
【００３３】
図２は、撮像装置１Ａの機能ブロックを示す図である。
【００３４】
撮像装置１Ａは、撮像センサ１６と、撮像センサ１６にデータ伝送可能に接続する信号処理部２と、信号処理部２に接続する画像処理部３と、画像処理部３に接続するカメラ制御部４０Ａとを備えている。
【００３５】
撮像センサ１６は、Ｒ(赤)、Ｇ(緑)、Ｂ(青)の原色透過フィルターがピクセル単位に市松状に配列(ベイヤー配列)されたエリアセンサ(撮像素子)として構成されており、全画素読み出しタイプである。この撮像センサ１６は、被写体を撮像し、動画を構成するフレームをＲＡＷ画像データ(ベイヤーデータ)として順次に生成する動画撮影手段として機能する。
【００３６】
信号処理部２は、ＣＤＳ２１とＡＧＣ２２とＡ／Ｄ変換部２３とを有している。
【００３７】
撮像センサ１６で取得され出力されるアナログ画像信号は、ＣＤＳ２１でサンプリングされノイズが除去された後、ＡＧＣ２２により撮影感度に相当するアナログゲインが乗算されて感度補正が行われる。
【００３８】
Ａ／Ｄ変換部２３は、１４ビットの変換器として構成されており、ＡＧＣ２２で正規化されたアナログ信号をデジタル化する。デジタル変換された画像信号は、画像処理部３で所定の画像処理が施されて画像ファイルが生成される。
【００３９】
画像処理部３は、ＲＡＷ加算部３０およびデジタル処理部３ｐと画像圧縮部３５とを備えている。また、画像処理部３は、測距演算・動き検出部３６とＯＳＤ部３７とビデオエンコーダー３８とメモリカードドライバ３９とを備えている。
【００４０】
デジタル処理部３ｐは、画素補間部３１と解像度変換部３２とホワイトバランス制御部３３とガンマ補正部３４とを有している。
【００４１】
画像処理部３に入力された画像データは、撮像センサ１６の読出しに同期し画像メモリ４１に書込みまれる。以後は、この画像メモリ４１に格納された画像データにアクセスし、画像処理部３で各種の処理が行われる。
【００４２】
画像メモリ４１内の画像データは、まずホワイトバランス制御部３３によりＲＧＢ各画素が独立にゲイン補正され、ＲＧＢのホワイトバランス補正が行われる。このホワイトバランス補正では、撮影被写体から本来白色となる部分を輝度や彩度データ等から推測し、その部分のＲ、Ｇ、Ｂそれぞれの平均値とＧ／Ｒ比およびＧ／Ｂ比とを求め、これらの情報に基づいてＲおよびＢの補正ゲインとして制御される。
【００４３】
ホワイトバランス補正された画像データは、画素補間部３１でＲＧＢ各画素をそれぞれのフィルターパターンでマスキングした後、高帯域まで画素値を有するＧ画素については、メディアン(中間値)フィルタで周辺４画素の中間２値の平均値に置換する。また、Ｒ画素およびＢ画素に関しては、周囲の９画素で同色に対して平均補間する。
【００４４】
画素補間された画像データは、ガンマ補正部３４で各出力機器に合った非線形変換、具体的にはガンマ補正およびオフセット調整が行われ、画像メモリ４１に格納される。
【００４５】
そして、画像メモリ４１に格納された画像データは、解像度変換部３２で設定された画素数に水平垂直の縮小または間引きが行われ、画像圧縮部３５で圧縮処理を行った後、メモリーカードドライバ３９にセットされるメモリーカード９に記録される。この画像記録時には、指定された解像度の撮影画像が記録されるとともに、再生表示用のスクリーンネイル画像(ＶＧＡ)が作成され、上記の撮影画像にリンクさせて記録される。そして、画像再生時には、スクリーンネイル画像をＬＣＤモニタ４２に表示することで高速な画像表示が可能となる。
【００４６】
また、解像度変換部３２では、画像表示時についても画素間引きを行って、ＬＣＤモニタ４２やＥＶＦ４３に表示するための低解像度画像を作成する。プレビュー時には、画像メモリ４１から読出された６４０×２４０画素の低解像度画像がビデオエンコーダ３８でＮＴＳＣ／ＰＡＬにエンコードされ、これをフィールド画像としてＬＣＤモニタ４２やＥＶＦ４３で画像再生が行われる。
【００４７】
測距演算・動き検出部３６では、フレーム画像を複数のブロックに分割してブロックごとにＢＰＦ処理を行うことにより合焦域の周波数成分を抽出し、これを各フレーム単位で比較・評価することでフォーカスレンズの駆動が行われる。そして、このようなビデオ(映像)ＡＦが行われて合焦が完了した後には、各ブロックにおける評価値の変移量によって被写体の移動を検出し、再びＡＦの制御が行われることとなる。
【００４８】
上記した撮影時の合焦状態を評価するＡＦ評価値(評価情報)については、ＡＦ動作時において測距ターゲットが移動した場合には、低い値となり、一定の合焦状態に移行した場合には、高い値が出力される。このような特性のＡＦ評価値を利用することによって、被写体の動きが検出できることとなる。
【００４９】
ＯＳＤ(オン・スクリーン・ディスプレイ)部３７は、各種の文字、記号およびフレーム等を生成し、表示画像の任意位置に重ねることが可能である。このＯＳＤ部３７により、ＬＣＤモニタ４２には各種の文字、記号およびフレーム等が必要に応じて表示できる。
【００５０】
カメラ制御部４０Ａは、ＣＰＵおよびメモリを備え、撮像装置１Ａの各部を統括的に制御する部位である。具体的には、上記のモード切替スイッチ１２やシャッターボタン１３などを有するカメラ操作スイッチ５０に対して撮影者が行う操作入力を処理する。また、カメラ制御部４０Ａは、撮影者によるモード設定スイッチ１２の操作により、被写体を撮像してその画像データを記録する静止画撮影モードや動画モード、再生モードへの切替えを行う。
【００５１】
三脚検出部５１は、撮像装置１Ａの下面に設けられている三脚穴５２（図１(ａ)(ｂ)に破線で図示）に三脚が取り付けられたことを検出する部位である。
【００５２】
撮像装置１Ａは、本撮影前の撮影準備状態において被写体を動画的態様でＬＣＤモニタ４２に表示するプレビュー表示(ライブビュー表示)時には、絞り４４の光学絞りが絞りドライバー４５によって開放固定となる。また、シャッタースピード(ＳＳ)に相当する撮像センサ１６の電荷蓄積時間（露光時間）に関しては、撮像センサ１６で取得したライブビュー画像に基づき、カメラ制御部４０Ａが露出制御データを演算する。そして、算出された露出制御データに基づいて予め設定されたプログラム線図により、撮像センサ１６の露光時間が適正となるようにタイミングジェネレーターセンサドライバー４６に対するフィードバック制御が行われる。
【００５３】
そして、撮像センサ１６において電荷蓄積が完了すると、光電変換された信号は遮光された撮像センサ１６内の転送路にシフトされ、転送路からバッファを介して読出しが行われる。
【００５４】
以上のような構成を有する撮像装置１Ａにおいては、低照度時の動画撮影において２種類のノイズ除去処理を行えるようになっているが、これらのノイズ処理について以下で詳しく説明する。
【００５５】
＜循環フィルタ処理(ＮＲ１)について＞
図３は、撮像装置１Ａにおける循環フィルタ処理を説明するための図である。
【００５６】
撮像装置１Ａでは、画像処理部３に黒補正部２４と傷補正部２５と循環フィルタ部２６とシェーディング補正部２７とホワイトバランス(ＷＢ)アンプ部２８とが設けられている。これらの各部においては、撮像センサ１６で生成され信号処理部２から出力されたデジタル信号のＲＡＷ画像データに対する画像処理が行われる。このＲＡＷ画像データとは、撮像センサ１６から出力された画像データであって画素補間前の画像データのことをいう。
【００５７】
また、画像処理部３には、図２に示す画素補間部３１およびガンマ補正部３４の他に、例えば３×３行列(マトリクス)を用いて色補正などを行うマトリクス部６１および色差マトリクス部６２と、輪郭補正部６３とが設けられている。
【００５８】
黒補正部２４は、撮像センサ１６で生成されたフレームのＲＡＷ画像データに対して黒レベル補正を行う部位である。
【００５９】
傷補正部２５は、撮像センサ１６で生成されたフレームのＲＡＷ画像データにおいて傷、すなわち画素欠陥が存在する場合に、この画素欠陥の補正を行う部位である。
【００６０】
循環フィルタ部２６は、相関検出部２６１とアンプ部２６２と加算部２６３と帰還アンプ部２６４とフレーム遅延部２６５とを有している。
【００６１】
この循環フィルタ部２６では、フレームメモリを有して画像データを保持するフレーム遅延部２６５から出力された１フレーム前の画像に帰還アンプ部２６４でゲイン係数(帰還係数)を乗算した信号と、現在のフレーム画像にアンプ部２６２で設定されるゲイン係数を乗算した信号とを加算部２６３で加算する。すなわち、循環フィルタ部２６では、撮像センサ１６で生成された現フレームのＲＡＷ画像と１フレーム前のＲＡＷ画像との差分に、帰還係数を乗じて現フレームのＲＡＷ画像から減じるノイズ処理が行われることとなる。
【００６２】
帰還アンプ部２６４で設定される帰還係数は、現在のフレーム画像と前フレームの画像との相関に応じて決定される。具体的には、フレーム間の相関が大きい場合、帰還アンプ部２６４の帰還係数を大きくとって帰還量を多くし相関のないノイズを抑制する。一方、フレーム間の相関が小さい場合に帰還係数を大きくすると画像のブレが生じるため、フレーム相関が小さい場合には、帰還係数を小さくして帰還量を少なくし、画像の劣化を最小限に抑える。
【００６３】
この帰還係数の制御については、測距演算・動き検出部３６で生成されたＡＦ評価値に基づきフレーム間の相関が相関検出部２６１において求められ、この相関に応じた帰還係数が決定される。
【００６４】
シェーディング補正部２７は、循環フィルタ部２６でフィルタ処理が行われたフレームのＲＡＷ画像データに対して、撮影レンズ１０などによって画像の中央部と周辺部とで光量が異なること、具体的には周辺部が暗くなることを補正する部位である。このシェーディング補正部２７では、画像の各部において異なる増幅率で増幅する処理が行われる。
【００６５】
ＷＢアンプ部２８は、上述したホワイトバランス制御部３３に対応する部位で、循環フィルタ部２６でフィルタ処理が行われたフレームのＲＡＷ画像データに対してＲＧＢのホワイトバランス補正が行われる。
【００６６】
ＷＢアンプ部２８でホワイトバランス補正が行われたフレームのＲＡＷ画像データは、画素補間部３１で画素補間され、マトリクス部６１でマトリクス演算が行われる。そして、ガンマ補正部３４においてガンマ補正が施され、色差マトリクス部６２で輝度信号(Ｙ)と色差信号(Ｃ)とに変換された後に、輪郭補正部６３で輪郭補正が行われる。
【００６７】
撮像装置１Ａでは、上述した循環フィルタ部２６により、低照度時の動画撮影においてノイズ除去処理ＮＲ１が行えることとなる。
【００６８】
図４は、撮像装置１Ａにおける循環フィルタ処理の動作を示すフローチャートである。本動作は、カメラ制御部４０Ａによって実行される。
【００６９】
ステップＳ１では、帰還係数をデフォルト値(例えば０.２)にセットする。すなわち、循環フィルタ部２６の帰還アンプ部２６４におけるゲイン係数を初期値に設定する。
【００７０】
ステップＳ２では、ＶＧＡ画像を動画像として読み出す。すなわち、撮像センサ１６からフレーム画像の読出しが行われる。
【００７１】
ステップＳ３では、ステップＳ２で読み出された画像データに基づき、露光量の演算を行い、最適なシャッター速度、絞り値(Ｆｎｏ)およびＡＧＣ部２２のＡＧＣゲインを算出する。
【００７２】
ステップＳ４では、ステップＳ３で算出された絞り値に基づき、絞り４４の光学絞りが絞りドライバー４５によって駆動される。
【００７３】
ステップＳ５では、ステップＳ３で算出されたＡＧＣゲインに基づき、ＡＧＣ２２のゲイン係数がセットされる。
【００７４】
ステップＳ６では、ＡＧＣ２２における設定ゲインが所定の閾値Ｒｅｆ１より大きいかを判定する。ここで、撮影感度に相当するＡＧＣゲインが所定値Ｒｅｆ１より大きい場合には、低照度時と判断してステップＳ７に進み、所定値Ｒｅｆ１以下である場合には、ステップＳ１３に進む。
【００７５】
ステップＳ７では、測距演算・動き検出部３６で算出されたＡＦ評価値が所定の閾値Ｒｅｆ２より大きいかを判定する。これは、ＡＦ評価値が一定以上である場合には、上述したように、ある程度被写体が静止していると判断できるため、この場合に循環フィルタ部２６におけるフィルタ処理を積極的に行わせるようにするための判定動作となる。ここで、ＡＦ評価値が所定値Ｒｅｆ２より大きい場合には、ステップＳ８に進み、所定値Ｒｅｆ２以下である場合には、ステップＳ１３に進む。
【００７６】
ステップＳ８では、ＡＦ評価値に基づくフレーム間の相関度が高いか否かを判定する。ここで、相関度が高い場合には、ステップＳ９に進み、相関度が低い場合には、ステップＳ１０に進む。
【００７７】
ステップＳ９では、帰還アンプ部２６４の帰還係数を増加させる。この場合、例えば帰還係数が０.１加算される。
【００７８】
ステップＳ１０では、帰還アンプ部２６４の帰還係数を減少させる。この場合、例えば帰還係数が０.１減算される。
【００７９】
以上のステップＳ８〜Ｓ１０の動作により、ＡＦ評価値(評価情報)に関する条件(第２の撮影条件)に応じて、帰還係数が決定されることとなる。その結果、適切な帰還係数を簡易に決定できる。
【００８０】
ステップＳ１１では、帰還係数のリミッタ処理を行う。すなわち、帰還係数が上限値（例えば０.８）より大きい場合には、この上限値に制限され、帰還係数が下限値(例えば０)より小さい場合には、この下限値に制限される。これにより、過剰なフィードバックが抑制され、適切なノイズ除去を行える。
【００８１】
ステップＳ１２では、循環フィルタ部２６により循環フィルタ処理を行う。
【００８２】
ステップＳ１３では、帰還アンプ部２６４の帰還係数をデフォルト値(例えば０.２)にセットする。
【００８３】
ステップＳ１４では、フレームの画像データに対して画像処理部３で撮像処理を行う。
【００８４】
ステップＳ１５では、ビデオ画像(動画)が出力される。
【００８５】
ステップＳ１６では、ステップＳ１５で出力されたビデオ画像が、ＬＣＤモニタ４２などの表示部に表示される。
【００８６】
ステップＳ１７では、動画撮影を終了したかを判定する。具体的には、動画撮影を終了させるためのシャッターボタン１３への操作が撮影者によって行われたかを判断する。ここで、動画撮影を終了しない場合には、ステップＳ２に戻って動画撮影を継続する。
【００８７】
＜マルチフレーム露光(ＮＲ２)について＞
撮像装置１Ａでは、低照度時の動画撮影におけるノイズ処理ＮＲ２として、マルチフレーム露光を行えるようになっている。
【００８８】
このマルチフレーム露光においては、タイミングジェネレータセンサードライバー４６の制御により動画撮影のフレームレートを低減させて、撮像センサ１６の露光時間を長くするノイズ処理が行われる。そして、この際には、撮影時の感度を一定に抑える、つまり信号処理部２のＡＧＣ２２のアンプゲインを低くできるため、ノイズ低減を図れることとなる。マルチフレーム露光では、低照度時において撮像センサ１６の露光量を多く確保して適正露光とする必要があるため、例えば絞り４４を開放の状態で、かつ撮像センサ１６の電荷蓄積時間が複数のフレームに渡る時間(マルチフレーム露光)に設定されることとなる。
【００８９】
以上のような２種類のノイズ処理ＮＲ１、ＮＲ２を行える撮像装置１Ａの動作を以下で説明する。
【００９０】
＜撮像装置１Ａの動作＞
図５は、撮像装置１Ａの基本的な動作を示すフローチャートである。本動作は、カメラ制御部４０Ａによって実行される。
【００９１】
ステップＳ２１〜Ｓ２４では、図４のフローチャートに示すステップＳ２〜Ｓ５と同様の動作を行う。
【００９２】
ステップＳ２５では、動画撮影に設定されているかを判定する。具体的には、モード切替スイッチ１２が動画モードに選択されているかを判断する。ここで、動画撮影に設定されている場合には、ステップＳ２６に進み、動画撮影に設定されていない場合には、ステップＳ３２に進む。
【００９３】
ステップＳ２６では、動画ＮＲが自動設定となっているかを判定する。すなわち、ＮＲモード選択スイッチ１７が、「Ａｕｔｏ」に設定されているか否かを判断する。ここで、動画ＮＲが自動設定となっている場合には、ステップＳ２７ａに進み、自動設定となっていない場合には、ステップＳ２７ｂに進む。
【００９４】
ステップＳ２７ａでは、ＡＧＣ２２における設定ゲインが所定の閾値Ｒｅｆ１より大きいかを判定する。ここで、撮影感度に相当するＡＧＣゲインが所定値Ｒｅｆ１より大きい場合には、低照度と判断してステップＳ２８に進み、所定値Ｒｅｆ１以下である場合には、ステップＳ３２に進む。
【００９５】
ステップＳ２７ｂでは、ステップＳ２７ａと同様にＡＧＣ２２における設定ゲインが所定の閾値Ｒｅｆ１より大きいかを判定する。ここで、ＡＧＣゲインが所定値Ｒｅｆ１より大きい場合には、Ｓ２９に進み、所定値Ｒｅｆ１以下である場合には、ステップＳ３２に進む。
【００９６】
上記のステップＳ２７ａおよびステップＳ２７ｂの動作により、ＡＧＣゲインに関する条件(第１の撮影条件)に応じて、ステップＳ３０で行われる循環フィルタ処理が実施されることとなる。
【００９７】
ステップＳ２８では、撮影レンズ１０の焦点距離が望遠に設定されているかを判定する。この望遠の設定とは、例えば１３５ｍｍ換算で８５ｍｍ以上、好ましくは１００ｍｍ以上に設定されていることをいう。
【００９８】
循環フィルタ処理の場合には、帰還係数の大小によって画像のブレ量(流れ量)をコントロールできるため、手ブレが生じやすい望遠でも扱い易い。一方、望遠においてマルチフレーム露光を行う場合には、各フレームの露光時間が長くなるために画像のブレを生じやすく、またフレームレートも低くなるため、ブレによる画像の乱れも目立ち易くなる。
【００９９】
逆に、望遠でないワイドな画角の場合には、被写体のブレが発生しにくいため、実効感度を下げるマルチフレーム露光の方が１フレームごとのクオリティが上がり、画質の向上が図れる。
【０１００】
以上のような理由により、ステップＳ２８では望遠設定の有無を判断している。
【０１０１】
そして、ステップＳ２８において、望遠の焦点距離に設定されている場合には、ステップＳ３０に進み、望遠の焦点距離に設定されていない場合には、ステップＳ３１に進む。
【０１０２】
これにより、焦点距離に応じて循環フィルタ処理およびマルチフレーム露光のうち一方が選択されて、ノイズ処理が切替えられる。
【０１０３】
ステップＳ２９では、動画撮影時のノイズ処理として、マニュアルで循環フィルタ処理が選択されているかを判定する。すなわち、ＮＲモード選択スイッチ１７が、「ＮＲ１」に設定されているか否かを判断する。ここで、循環フィルタ処理が選択されている場合には、ステップＳ３０に進み、循環フィルタ処理ではなくマルチフレーム露光が選択されている場合には、ステップＳ３１に進む。
【０１０４】
上記のステップＳ２９において、ＮＲモード選択スイッチ１７に対する操作入力に応じて循環フィルタ処理およびマルチフレーム露光のうち一方が選択されることとなる。これにより、撮影者の意図したノイズ処理を行える。
【０１０５】
ステップＳ３０では、循環フィルタ処理を行う。
【０１０６】
ステップＳ３１では、上述したマルチフレーム露光を行う。
【０１０７】
ステップＳ３２〜Ｓ３５では、図４のフローチャートに示すステップＳ１４〜Ｓ１７と同様の動作を行う。
【０１０８】
以上のように撮像装置１Ａでは、撮影に関する制御情報であるＡＦ評価値に基づき循環フィルタ部の帰還係数を設定するため、動画撮影において適切な帰還係数を簡易に決定できる。また、望遠設定の有無、つまり撮影レンズ１０の焦点距離に応じて循環フィルタ処理またはマルチフレーム露光が選択されるため、画像の乱れなどの発生を防止しつつ最適なノイズ低減処理が可能となる。
【０１０９】
なお、上記のステップＳ２８においては、閾値の焦点距離を境にして厳格に循環フィルタ処理(ステップＳ３０)とマルチフレーム露光(ステップＳ３１)との切替えを行うのは必須でなく、ヒステリシスを持たせて切替るようにしても良い。例えば８５ｍｍ以上を超える焦点距離から徐々に低下して閾値の焦点距離である８５ｍｍ以下となっても、例えば７０ｍｍまでは循環フィルタ処理の状態を維持するノイズ制御を行うようにする。これにより、閾値の焦点距離を中心に焦点距離が変動しても、循環フレーム処理とマルチフレーム露光との切替えが頻繁に発生せず、スムーズなノイズ除去処理が行えることとなる。
【０１１０】
また、第１実施形態の撮像装置１Ａについては、以下で説明する図６のフローチャートに示す動作を行うようにしても良い。
【０１１１】
図６に示すフローチャートは、図５に示すフローチャートに対してステップＳ３６の動作が追加されている。
【０１１２】
このステップＳ３６では、三脚の固定が検出されたかを判定する。具体的には、三脚検出部５１で、三脚が三脚穴５２に取付けられたことが検出されたか否かを判断する。ここで、三脚の固定が検出された場合には、ステップＳ３１に進み、マルチフレーム露光を行う。一方、三脚の固定が検出されない場合には、ステップＳ３０に進んで、循環フィルタ処理を行う。
【０１１３】
これにより、三脚の接続の有無に応じて循環フィルタ処理およびマルチフレーム露光のうち一方が選択されることとなる。
【０１１４】
以上のように三脚取付けの有無を判断することにより、望遠に設定される場合であっても三脚の固定が検出された場合には手ブレの要因が解消されるため、マルチフレーム露光によって適切なノイズ除去を行える。
【０１１５】
＜第２実施形態＞
本発明の第２実施形態に係る撮像装置１Ｂについては、図１および図２に示すように、第１実施形態の撮像装置１Ａと類似の構成を有しているが、循環フィルタ部の構成が異なっている。
【０１１６】
すなわち、撮像装置１Ｂの循環フィルタ部２６では、図３に示す相関検出部２６１において、第１実施形態のようにＡＦ評価値だけではなく手ブレセンサ４９の計測値(検出値)に基づき帰還係数が設定される。
【０１１７】
このような循環フィルタ部２６を有する撮像装置１Ｂの循環フィルタ処理(ＮＲ１)の動作を以下で説明する。
【０１１８】
＜循環フィルタ処理(ＮＲ１)について＞
図７は、撮像装置１Ｂにおける循環フィルタ処理の動作を示すフローチャートである。本動作は、カメラ制御部４０Ｂによって実行される。
【０１１９】
ステップＳ４１〜Ｓ４７では、図４のフローチャートに示すステップＳ１〜Ｓ７と同様の動作を行う。
【０１２０】
ステップＳ４８では、手ブレ補正がオンであるかを判定する。具体的には、手ブレ補正スイッチ１４が押下され、手ブレ補正モードに設定されているかを判断する。ここで、手ブレ補正がオンである場合には、ステップＳ４９に進み、オンでない場合には、ステップＳ５０に進んで帰還係数を０にセットする。このように手ブレ補正機能がオフ(不能化)されている場合にはステップＳ５０において循環フィルタ処理を禁止することにより、前後のフレーム相関が低い場合の循環フィルタ処理を防止できる。
【０１２１】
ステップＳ４９では、手ブレセンサ４９で検出される手ブレの検出値が所定の閾値Ｒｅｆ３より小さいかを判定する。この際には、ステップＳ８７においてＡＦ評価値が所定値Ｒｅｆ２を超えているため、被写体はある程度静止しているものと推測できる。よって、手ブレの検出値が所定値Ｒｅｆ３より小さい場合には、フレーム相関が高いと判断できるため、ステップＳ５１にて帰還係数を増加させる。一方、手ブレ検出値が所定値Ｒｅｆ３以上である場合には、手ブレによる帰還処理のエラーが生じるため、ステップＳ５２にて帰還係数を減少させることとする。
【０１２２】
上記のステップＳ４９およびステップＳ５１〜Ｓ５２の動作により、手ブレの検出値（計測情報）に関する条件（第２の撮影条件）に応じて、帰還係数が決定されることとなる。その結果、適切な帰還係数を簡易に決定できる。
【０１２３】
ステップＳ５１〜Ｓ５９では、図４のフローチャートに示すステップＳ９〜Ｓ１７と同様の動作を行う。
【０１２４】
以上のように撮像装置１Ｂでは、撮影に関する制御情報である手ブレの検出値に基づき循環フィルタ部の帰還係数を設定するため、低照度時の動画撮影において適切な帰還係数を簡易に決定できる。
【０１２５】
なお、上記のステップＳ５０においては、帰還係数を０に設定するのは必須でなく、循環フィルタ部２６の機能をオフにしてフィルタ処理を禁止するようにしても良い。
【０１２６】
＜第３実施形態＞
本発明の第３実施形態に係る撮像装置１Ｃについては、図１および図２に示すように、第１実施形態の撮像装置１Ａと類似の構成を有しているが、循環フィルタ部の構成が異なっている。
【０１２７】
すなわち、撮像装置１Ｃの循環フィルタ部２６では、図３に示す相関検出部２６１において、撮影レンズ１０の焦点距離に応じた帰還係数が設定される。
【０１２８】
撮影レンズ１０の焦点距離(画角)によって手ブレの発生レベルは異なるため、長焦点距離の場合には、手ブレによる小刻みな被写体のブレが生じると想定される。そして、この手ブレにより前後のフレーム間の相関が小さくなる場合に帰還係数を大きくすると、画像の劣化が生じてしまう。そこで、後述のように、撮像装置１Ｅでは、撮影時の焦点距離に応じた帰還係数の設定、例えば１３５ｍｍ換算で３０ｍｍ未満、３０〜５０ｍｍ、および５０〜１００ｍｍの各焦点距離の条件で、帰還アンプ部２６４の帰還係数を０.８、０.５、および０.２に設定して、循環フィルタ処理を行うこととする。これにより、適切な帰還係数を簡易に決定できる。
【０１２９】
このような循環フィルタ部２６を有する撮像装置１Ｃの循環フィルタ処理(ＮＲ１)の動作を以下で説明する。
【０１３０】
＜循環フィルタ処理(ＮＲ１)について＞
図８は、撮像装置１Ｃにおける循環フィルタ処理の動作を示すフローチャートである。本動作は、カメラ制御部４０Ｃによって実行される。
【０１３１】
ステップＳ６１〜Ｓ６５では、図４のフローチャートに示すステップＳ２〜Ｓ６と同様の動作を行う。
【０１３２】
ステップＳ６６では、撮影レンズ１０の焦点距離が１００ｍｍより大きいかを判定する。ここで、焦点距離が１００ｍｍより大きい場合には、ステップＳ７３に進み、１００ｍｍ以下である場合には、ステップＳ６７に進む。
【０１３３】
ステップＳ６７では、撮影レンズ１０の焦点距離が５０ｍｍより大きいかを判定する。ここで、焦点距離が５０ｍｍより大きい場合には、ステップＳ６９に進み、５０ｍｍ以下である場合には、ステップＳ６８に進む。
【０１３４】
ステップＳ６８では、撮影レンズ１０の焦点距離が３０ｍｍより大きいかを判定する。ここで、焦点距離が３０ｍｍより大きい場合には、ステップＳ７０に進み、３０ｍｍ以下である場合には、ステップＳ７１に進む。
【０１３５】
ステップＳ６９では、帰還アンプ部２６４の帰還係数を０.２に設定する。
【０１３６】
ステップＳ７０では、帰還アンプ部２６４の帰還係数を０.５に設定する。
【０１３７】
ステップＳ７１では、帰還アンプ部２６４の帰還係数を０.８に設定する。
【０１３８】
以上のステップＳ６６〜Ｓ７１の動作により、焦点距離に関する条件(第２の撮影条件)に応じて、帰還係数が決定されることとなる。その結果、適切な帰還係数を簡易に決定できる。
【０１３９】
ステップＳ７２では、図４のフローチャートに示すステップＳ１２と同様の動作を行う。
【０１４０】
ステップＳ７３では、帰還アンプ部２６４の帰還係数を０に設定する。すなわち、循環フィルタ処理を禁止する。これにより、前後のフレーム相関が低い場合の循環フィルタ処理を防止できる。
【０１４１】
ステップＳ７４〜Ｓ７７では、図４のフローチャートに示すステップＳ１４〜Ｓ１７と同様の動作を行う。
【０１４２】
以上のように撮像装置１Ｃでは、焦点距離に基づき循環フィルタ部の帰還係数を設定するため、動画撮影において適切な帰還係数を簡易に決定できる。
【０１４３】
なお、図８のフローチャートに示す撮像装置１Ｃの動作においては、焦点距離を変更している最中に、循環フィルタ部２６の帰還係数を０に設定するようにしても良い。これにより、前後のフレームの相関が低くなる焦点距離の変更中に循環フィルタ処理が禁止されるため、循環フィルタ処理による画像の乱れがある動画の生成を防止できることとなる。
【０１４４】
なお、焦点距離の変更中に、帰還係数を０に設定するのは必須でなく、循環フィルタ処理部の機能をオフにしてフィルタ処理を禁止するようにしても良い。
【０１４５】
＜第４実施形態＞
本発明の第４実施形態に係る撮像装置１Ｄについては、図１および図２に示すように、第１実施形態の撮像装置１Ａと類似の構成を有しているが、循環フィルタ部の構成が異なっている。
【０１４６】
すなわち、撮像装置１Ｄの循環フィルタ部２６では、図３に示す相関検出部２６１において、シャッタースピードに応じた帰還係数が設定される。
【０１４７】
ここでは、ＡＦ評価値が一定値を超えている場合、被写体がある程度静止しているものと判断できるため、この場合には演算されたＳＳの演算値(設定値)に連動して帰還係数の制御を行うこととする。例えば、ＳＳが１/２５０ｓ未満、１/２５０〜１/１００ｓ、および１/１００〜１/３０ｓの各ＳＳ設定の条件で、帰還アンプ部２６４の帰還係数を０.２、０.５、および０.８に設定して、適切な循環フィルタ処理を行うこととする。この帰還係数の設定については、ＳＳが短時間、つまり高速シャッター時にはフレーム画像間の相関が小さくなるため、帰還係数を大きくすると残像効果が生じ、循環フィルタ処理による不自然な画像が生成されるので、ＳＳが短いほど帰還係数を小さく設定する。一方、１/３０ｓ以上のＳＳ(露光時間)については、マルチフレーム撮影を優先するとともに、手ブレを誘発する可能性が高いため、循環フィルタ処理を禁止する。
【０１４８】
このような循環フィルタ部２６を有する撮像装置１Ｄの循環フィルタ処理(ＮＲ１)の動作を以下で説明する。
【０１４９】
＜循環フィルタ処理(ＮＲ１)について＞
図９は、撮像装置１Ｄにおける循環フィルタ処理の動作を示すフローチャートである。本動作は、カメラ制御部４０Ｄによって実行される。
【０１５０】
ステップＳ８１〜Ｓ８６では、図４のフローチャートに示すステップＳ２〜Ｓ７と同様の動作を行う。
【０１５１】
ステップＳ８７では、ＳＳ(シャッタースピード)の演算値が１/３０ｓより小さいかを判定する。ここで、１/３０ｓより小さい場合には、ステップＳ８８に進み、１/３０ｓ以上である場合には、循環フィルタ処理を行わないステップＳ９４に進む。
【０１５２】
このステップＳ８７の動作により、ＳＳの演算値が１/３０ｓより小さいという条件を満たす場合のみ、換言すれば露光時間に関する条件(第１の撮影条件)に応じて、循環フィルタ部２６を動作(能動化)させてノイズ処理が行われることとなる。これにより、循環フィルタ処理を適切に行える。
【０１５３】
ステップＳ８８では、ＳＳの演算値が１/２５０ｓより小さいかを判定する。ここで、１/２５０ｓより小さい場合には、ステップＳ９０に進み、１/２５０ｓ以上である場合には、ステップＳ８９に進む。
【０１５４】
ステップＳ８９では、ＳＳの演算値が１/１００ｓより小さいかを判定する。ここで、１/１００ｓより小さい場合には、ステップＳ９１に進み、１/１００ｓ以上である場合には、ステップＳ９２に進む。
【０１５５】
ステップＳ９０では、帰還アンプ部２６４の帰還係数を０.２に設定する。
【０１５６】
ステップＳ９１では、帰還アンプ部２６４の帰還係数を０.５に設定する。
【０１５７】
ステップＳ９２では、帰還アンプ部２６４の帰還係数を０.８に設定する。
【０１５８】
ステップＳ９３では、図４のフローチャートに示すステップＳ１２と同様の動作を行う。
【０１５９】
ステップＳ９４では、帰還アンプ部２６４の帰還係数を０に設定する。すなわち、ＳＳの設定値が１フレームの時間１/３０ｓ以上となるとマルチフレーム露光を優先して、循環フィルタ処理を禁止する。
【０１６０】
ステップＳ９５〜Ｓ９８では、図４のフローチャートに示すステップＳ１４〜Ｓ１７と同様の動作を行う。
【０１６１】
以上のように撮像装置１Ｄでは、撮影に関する制御情報であるシャッタースピードに基づき循環フィルタ部の帰還係数を設定するため、動画撮影において適切な帰還係数を簡易に決定できる。
【０１６２】
＜第５実施形態＞
本発明の第５実施形態に係る撮像装置１Ｅについては、図１および図２に示すように、第１実施形態の撮像装置１Ａと類似の構成を有しているが、カメラ制御部が異なっている。
【０１６３】
すなわち、撮像装置１Ｅのカメラ制御部４０Ｅでは、被写体の動きに応じて第１実施形態で説明したＡＦ評価値に基づく循環フィルタ処理とマルチフレーム露光とを切替える動作を行うためのプログラムがメモリに格納されている。この動作について、以下で説明する。
【０１６４】
＜撮像装置１Ｅの動作＞
図１０は、撮像装置１Ｅの基本的な動作を示すフローチャートである。本動作は、カメラ制御部４０Ｅによって実行される。
【０１６５】
ステップＳ１０１〜Ｓ１０７ａおよびＳ１０７ｂでは、図５のフローチャートに示すステップＳ２１〜Ｓ２７ａおよびＳ２７ｂと同様の動作を行う。
【０１６６】
ステップＳ１０８では、動体が検出されたかを判定する。具体的には、測距演算・動き検出部３６において、人物などの主被写体の移動が検出されたか否かを判断する。
【０１６７】
このように動体の検出を判断するのは、動体の場合には被写体の動きに強い循環フィルタ処理を選択し、動体でない場合つまり静止被写体の場合には、マルチフレーム露光を選択させるためである。これにより、動画撮影時における被写体の移動によるブレに起因するノイズを低減できることとなる。
【０１６８】
このステップＳ１０８において、動体が検出された場合には、ステップＳ１１０に進み、動体が検出されない場合には、ステップＳ１１１に進む。これにより、被写体の動きに応じて、循環フィルタ処理およびマルチフレーム露光のうち一方が選択されることとなる。
【０１６９】
ステップＳ１０９〜Ｓ１１５では、図５のフローチャートに示すステップＳ２９〜Ｓ３５と同様の動作を行う。
【０１７０】
以上のように撮像装置１Ｅでは、被写体の動き(動体の検出)に応じて循環フィルタ処理またはマルチフレーム露光が選択されるため、画像の乱れなどの発生を防止しつつ最適なノイズ低減処理が可能となる。また、ＡＦ評価値に基づき循環フィルタ部の帰還係数を設定するため、第１実施形態と同様に動画撮影において適切な帰還係数を簡易に決定できる。
【０１７１】
＜第６実施形態＞
本発明の第６実施形態に係る撮像装置１Ｆについては、図１および図２に示すように、第１実施形態の撮像装置１Ａと類似の構成を有しているが、カメラ制御部が異なっている。
【０１７２】
すなわち、撮像装置１Ｆのカメラ制御部４０Ｆでは、撮影モードによって２種類のノイズ低減処理を適切に選択するためのプログラムがメモリに格納されている。
【０１７３】
２種類のノイズ低減処理については、第１実施形態で説明したＡＦ評価値に基づく循環フィルタ処理と、マルチフレーム露光によるノイズ低減処理とが選択可能となっている。そして、撮像装置１Ｆでは、撮影モード（スポーツモード、夜景モード、マクロモード）の設定状態に応じて上記の２種類のノイズ処理の切替えが可能となっている。
【０１７４】
上記の撮影モードについては、例えばＬＣＤモニタ４２に表示されるメニュー画面において、コマ送り・ズームスイッチ１５に対する撮影者の操作により、「スポーツモード」、「夜景モード」および「マクロモード」の各撮影モードが設定可能となっている。すなわち、撮影者は、コマ送り・ズームスイッチ１５の操作によって複数の撮影モードを選択的に指定できることとなる。
【０１７５】
＜撮像装置１Ｆの動作＞
図１１は、撮像装置１Ｆの基本的な動作を示すフローチャートである。本動作は、カメラ制御部４０Ｆによって実行される。
【０１７６】
ステップＳ１２１〜Ｓ１２７ａおよびＳ１２７ｂでは、図５のフローチャートに示すステップＳ２１〜Ｓ２７ａおよびＳ２７ｂと同様の動作を行う。
【０１７７】
ステップＳ１２８では、スポーツモードに設定されているかを判定する。具体的には、ＬＣＤモニタ４２に表示されるメニュー画面において、「スポーツモード」が選択されたかを判断する。
【０１７８】
ここで、スポーツモードの設定を判断するのは、スポーツモードが選択された場合には高速シャッターが優先されるため、露光時間が複数のフレームに渡るマルチフレーム露光を行わずに、循環フィルタ処理によるノイズ除去を行うためである。
【０１７９】
ステップＳ１２８において、スポーツモードに設定されている場合には、ステップＳ１３２に進み、スポーツモードに設定されていない場合には、ステップＳ１２９に進む。
【０１８０】
ステップＳ１２９では、夜景モードに設定されているかを判定する。具体的には、ＬＣＤモニタ４２に表示されるメニュー画面において、「夜景モード」が選択されたかを判断する。
【０１８１】
ここで、夜景モードの設定を判断するのは、一般に手ブレが生じやすい夜景モードが選択された場合には三脚の使用が想定されるので、循環フィルタ処理でなくマルチフレーム露光によってノイズ除去を行うのが好ましいためである。
【０１８２】
ステップＳ１２９において、夜景モードに設定されている場合には、ステップＳ１３３に進み、夜景モードに設定されていない場合には、ステップＳ１３０に進む。
【０１８３】
ステップＳ１３０では、マクロモードに設定されているかを判定する。具体的には、ＬＣＤモニタ４２に表示されるメニュー画面において、「マクロモード」が選択されたかを判断する。
【０１８４】
ここで、マクロモードの設定を判断するのは、一般に手ブレが生じやすいマクロモードが選択された場合には三脚の使用が想定されるので、循環フィルタ処理でなくマルチフレーム露光によってノイズ除去を行うのが好ましいためである。
【０１８５】
ステップＳ１３０において、マクロモードに設定されている場合には、ステップＳ１３３に進み、マクロモードに設定されていない場合には、ステップＳ１３２に進む。
【０１８６】
以上のステップＳ１２８〜Ｓ１３０の動作により、指定される撮影モードに応じて、循環フィルタ処理およびマルチフレーム露光のうち一方が選択されることとなる。
【０１８７】
ステップＳ１３１〜Ｓ１３７では、図５のフローチャートに示すステップＳ２９〜Ｓ３５と同様の動作を行う。
【０１８８】
以上のように撮像装置１Ｆでは、設定される撮影モードに応じて循環フィルタ処理またはマルチフレーム露光が選択されるため、画像の乱れなどの発生を防止しつつ最適なノイズ低減処理が可能となる。また、ＡＦ評価値に基づき循環フィルタ部の帰還係数を設定するため、第１実施形態と同様に動画撮影において適切な帰還係数を簡易に決定できる。
【０１８９】
＜変形例＞
◎上記の各実施形態においては、ＡＧＣの設定ゲインが所定値(Ｒｅｆ１)以上となる低照度撮影条件(第１の撮影条件)を満たす場合に循環フィルタ処理を行うのは必須でなく、被写体輝度が所定値以下となる低照度撮影条件の場合に循環フィルタ処理を行うようにしても良い。
【０１９０】
◎上記の第５および第６実施形態については、第１実施形態で説明したＡＦ評価値に基づき帰還係数を設定するのは必須でなく、第２実施形態で説明した手ブレ検出値や、第３実施形態で説明した焦点距離、第４実施形態で説明したシャッタースピードに基づき帰還係数を設定するようにしても良い。
【図面の簡単な説明】
【０１９１】
【図１】本発明の第１実施形態に係る撮像装置１Ａの要部構成を示す図である。
【図２】撮像装置１Ａの機能ブロックを示す図である。
【図３】撮像装置１Ａにおける循環フィルタ処理を説明するための図である。
【図４】撮像装置１Ａにおける循環フィルタ処理の動作を示すフローチャートである。
【図５】撮像装置１Ａの基本的な動作を示すフローチャートである。
【図６】撮像装置１Ａの他の動作を示すフローチャートである。
【図７】本発明の第２実施形態に係る撮像装置１Ｂにおける循環フィルタ処理の動作を示すフローチャートである。
【図８】本発明の第３実施形態に係る撮像装置１Ｃにおける循環フィルタ処理の動作を示すフローチャートである。
【図９】本発明の第４実施形態に係る撮像装置１Ｄにおける循環フィルタ処理の動作を示すフローチャートである。
【図１０】本発明の第５実施形態に係る撮像装置１Ｅの基本的な動作を示すフローチャートである。
【図１１】本発明の第６実施形態に係る撮像装置１Ｆの基本的な動作を示すフローチャートである。
【図１２】従来技術に係る循環フィルタ処理を説明するためのブロック図である。
【符号の説明】
【０１９２】
１Ａ〜１Ｆ  撮像装置
２  信号処理部
３  画像処理部
１０  撮影レンズ
１４  手ブレ補正スイッチ
１５  コマ送り・ズームスイッチ
１６  撮像センサ
１７  ＮＲ(ノイズリダクション)モード選択スイッチ
２６、８２  循環フィルタ部
３６  測距演算・動き検出部
４０Ａ〜４０Ｆ  カメラ制御部
４２  ＬＣＤモニタ
４８  手ブレ補正アクチュエータドライバ
４９  手ブレセンサ
５１  三脚検出部
２６１  相関検出部
【図１】
2005210216.tif 000003
【図２】
2005210216.tif 000004
【図３】
2005210216.tif 000005
【図４】
2005210216.tif 000006
【図５】
2005210216.tif 000007
【図６】
2005210216.tif 000008
【図７】
2005210216.tif 000009
【図８】
2005210216.tif 000010
【図９】
2005210216.tif 000011
【図１０】
2005210216.tif 000012
【図１１】
2005210216.tif 000013
【図１２】
2005210216.tif 000014